(57)【要約】【課題】浴室等の水使用場に配置する機器等に電力を供給可能で、高電圧部分が露出せず、かつ効率のよい耐水型非接触供給装置を提供する。【解決手段】商用電源から電力供給を受けるインバータ１３及びインバータ１３から高周波電力を供給される一次コイル１２を備え、給電対象機器１６が配置される水使用場１１から電気的に隔離された状態で配置される一次側回路１４と、水使用場１１に配置され、一次側回路１４から非接触で給電を受ける二次側回路１５を有する耐水型非接触供給装置１０であって、直列に接続された共振コンデンサ２５及び共振コイル１９を有する共振回路を、一次側回路１４、二次側回路１５、又は一次側回路１４及び二次側回路１５に設けた。【選択図】図１
2018033312.tif 000002
【特許請求の範囲】
【請求項１】
商用電源から電力供給を受けるインバータ及び該インバータから高周波電力を供給される一次コイルを備え、給電対象機器が配置される水使用場から電気的に隔離された状態で配置される一次側回路と、前記水使用場に配置され、前記一次側回路から非接触で給電を受ける二次側回路を有する耐水型非接触供給装置であって、
直列に接続された共振コンデンサ及び共振コイルを有する共振回路を、前記一次側回路、前記二次側回路、又は前記一次側回路及び前記二次側回路に設け、
前記一次側回路に対して複数の前記二次側回路が電磁気的に接続可能となっており、更に、前記二次側回路には受電した高周波を直流に整流する整流回路が設けられて、２５ボルト以下の低電圧の直流を出力することを特徴とする耐水型非接触供給装置。
【請求項２】
請求項１記載の耐水型非接触供給装置において、前記低電圧の直流は電池を充電するのに使用されることを特徴とする耐水型非接触供給装置。
【請求項３】
請求項１又は２記載の耐水型非接触供給装置において、前記一次側回路の前記インバータへの電源のオンオフは前記水使用場に設けられた防水型のスイッチによって行われることを特徴とする耐水型非接触供給装置。
【請求項４】
請求項１〜３のいずれか１記載の耐水型非接触供給装置において、前記二次側回路には磁束を前記一次側回路に集中させるコ型フェライトコア又はＥ型フェライトコアが設けられていることを特徴とする耐水型非接触供給装置。
【請求項５】
請求項１〜４のいずれか１記載の耐水型非接触供給装置において、前記一次側回路の一部又は全部は、前記水使用場の壁又は窪みに配置されていることを特徴とする耐水型非接触供給装置。
【請求項６】
請求項１〜５のいずれか１記載の耐水型非接触供給装置において、前記二次側回路は非アース状態で使用されていることを特徴とする耐水型非接触供給装置。
【請求項７】
請求項１〜６のいずれか１記載の耐水型非接触供給装置において、前記二次側回路は前記水使用場に設けられた掛止治具を介して前記水使用場の壁面、床面又は天井面に取付け可能となっていることを特徴とする耐水型非接触供給装置。
【発明の詳細な説明】
【技術分野】
【０００１】
本発明は浴室や台所等の水を使用する場所（以下、「水使用場」とも称する）で使用される耐水型非接触供給装置に関する。
【背景技術】
【０００２】
浴室等においては被介護者と介護者を補助する介護用具が使用されているが、この介護用具に電力を使用する場合、商用電源で電力を供給すると、感電の恐れがあるので、低電圧の充電式の電池等で電力を供給することが行われている。この場合、電池がなくなると予備の電池を使用するか、再充電する必要があり、極めて手間である。
【０００３】
そこで、特許文献１、２には非接触式のコンセントとプラグが提案され、コンセント側に商用電源から電力を供給されるインバータを設けて、一次コイルに給電し、プラグ側に設けられた二次コイルに非接触で給電し、整流平滑して給電する非接触電力伝達装置が提案されている。
また、特許文献３には一つの非接触コンセントに対して複数の非接触プラグを設けることが提案されている。そして、特許文献４には、二次側に共振コイルと共振コンデンサを備えた共振回路を二次コイルとは別に設けて、一次側から二次側に非接触で電力を送ることが開示されている。
【先行技術文献】
【特許文献】
【０００４】
【特許文献１】特開平１１−９７２６２号公報
【特許文献２】特開２００２−１０５３５号公報
【特許文献３】特開２０１１−５０１６３号公報
【特許文献４】特許第４３１８７４２号公報
【発明の概要】
【発明が解決しようとする課題】
【０００５】
しかしながら、上記特許文献１〜３記載の装置は、それぞれインバータを用いて一次コイルに高周波を流しているが、一次コイルと二次コイルの距離が壁等で離れると、エネルギーの伝達効率が悪くなるという問題がある。なお、特許文献１〜３の装置においては、一次コイル及び二次コイルに並列に共振コンデンサを設けているが、これでは、一次コイル、二次コイルに負荷電流に加えて過大な共振電流が流れることになる。更には、一次コイルと二次コイルが共振コイルとしても作用し、それぞれ最適な巻数に制御し難いという問題がある。そして、共振コイルを独立に配置する場合より、距離に対する送電効率が悪いという問題がある。
一方、特許文献４に記載された発明においては、共振コンデンサの容量を減らすため、二次側共振コイルのターン数を多くし、比較的高電圧を発生させている。
【０００６】
本発明はかかる事情に鑑みてなされたもので、浴室等の水使用場に配置する機器等に電力を供給可能で、高電圧部分が露出せず、かつ効率のよい耐水型非接触供給装置を提供することを目的とする。
【課題を解決するための手段】
【０００７】
前記目的に沿う本発明に係る耐水型非接触供給装置は、商用電源から電力供給を受けるインバータ及び該インバータから高周波電力を供給される一次コイルを備え、給電対象機器が配置される水使用場から電気的に隔離された状態で配置される一次側回路と、前記水使用場に配置され、前記一次側回路から非接触で給電を受ける二次側回路を有する耐水型非接触供給装置であって、
直列に接続された共振コンデンサ及び共振コイルを有する共振回路を、前記一次側回路、前記二次側回路、又は前記一次側回路及び前記二次側回路に設けた。
ここで、電気的に隔離された状態とは、水使用場と電気的に絶縁状態で、壁で仕切られた状態、又は水使用場にあっても、絶縁材によって被覆されている状態をいう。
これによって、絶縁状態で比較的遠くまで電力を送ることができる。
【０００８】
本発明に係る耐水型非接触供給装置において、前記一次側回路に対して複数の前記二次側回路が電磁気的に接続可能となっている場合もある。これによって、一つの電源に複数の負荷を接続できる。
【０００９】
本発明に係る耐水型非接触供給装置において、前記二次側回路には受電した高周波を直流に整流する整流回路が設けられて、２５ボルト以下（更に好ましくは１４ボルト以下、更には７ボルト以下）の低電圧の直流を出力するのが好ましい。
【００１０】
本発明に係る耐水型非接触供給装置において、前記低電圧の直流は電池を充電するのに使用される場合もあるし、直接機器を駆動する場合もある。
これによって、二次側負荷（給電対象機器）を使用できる。
【００１１】
本発明に係る耐水型非接触供給装置において、前記一次側回路の前記インバータへの電源のオンオフは前記水使用場に設けられた防水型のスイッチによって行われるのがよい。これによって、水使用場からこの耐水型非接触供給装置のオンオフが可能となる。
【００１２】
本発明に係る耐水型非接触供給装置において、前記共振回路の電流が一定値を超えないように、前記共振回路に直列に電流抑制手段を設けるのが好ましい。これによって、負荷の電流を制限でき、耐水型非接触供給装置自体の発熱も押さえることができる。
【００１３】
本発明に係る耐水型非接触供給装置において、前記二次側回路には磁束を前記一次側回路に集中させるコ字型フェライトコア又はＥ型フェライトコアが設けられているのがよい。これによって、漏れ磁束の減少を図ると共に、電力の伝達効率も増す。
【００１４】
本発明に係る耐水型非接触供給装置において、前記一次側回路の一部又は全部は、前記水使用場の壁又は窪みに配置されているのが好ましい。これによって、水使用場から二次側負荷の装着が容易となる。
【００１５】
本発明に係る耐水型非接触供給装置において、前記二次側回路は非アース状態で使用されているのが好ましい。
【００１６】
本発明に係る耐水型非接触供給装置において、前記二次側回路は前記水使用場に設けられた掛止治具を介して前記水使用場の壁面、床面又は天井面に取付け可能となっているのがよい。これによって、水使用場に耐水型非接触供給装置を後付けすることもできる。
【発明の効果】
【００１７】
本発明に係る耐水型非接触供給装置においては、水使用場を仕切る壁内又はその外側に絶縁状態で一次側回路を、水使用場内に二次側回路を設けているので感電の恐れがなく、一次側回路、二次側回路のいずれか１又は双方に共振回路が設けられているので、より効率的に大きな電力を供給することができる。
特に、一次側回路のみに共振回路を配置した場合は、二次側回路の小型化を図ることができ、更に、二次側回路の発熱も押さえることができる。
また、二次側回路にのみ共振回路を配置した場合は、一次側回路と二次側回路との間に距離があっても、より大きな電力を二次側回路に供給できる。
【図面の簡単な説明】
【００１８】
【図１】（Ａ）は本発明の第１の実施の形態に係る耐水型非接触供給装置の概略説明図、（Ｂ）は同耐水型非接触供給装置の一部回路図を示す。
【図２】本発明の第２の実施の形態に係る耐水型非接触供給装置の説明図である。
【図３】本発明の第３の実施の形態に係る耐水型非接触供給装置の説明図である。
【図４】（Ａ）、（Ｂ）、（Ｃ）はそれぞれ本発明の第４〜第６の実施の形態に係る耐水型非接触供給装置の説明図である。
【図５】本発明の第７の実施の形態に係る耐水型非接触供給装置の説明図である。
【図６】（Ａ）、（Ｂ）は本発明の第８の実施の形態に係る耐水型非接触供給装置の説明図である。
【図７】本発明の第９の実施の形態に係る耐水型非接触供給装置の説明図である。
【図８】本発明の第１０の実施の形態に係る耐水型非接触供給装置の説明図である。
【発明を実施するための形態】
【００１９】
図１（Ａ）、（Ｂ）に示すように、本発明の第１の実施の形態に係る耐水型非接触供給装置１０は、浴室（水使用場の一例）１１外に隔離して、即ち、浴室１１からそれぞれ隔離して絶縁状態で配置される一次コイル１２及びこれに高周波電力を供給するインバータ１３を備えた一次側回路１４と、浴室１１内に配置され、一次側回路１４から非接触で給電を受ける二次側回路１５とを有する。そして、この二次側回路１５から、浴室１１に配置された負荷となる給電対象機器（例えば、入浴搬送機、電池、負荷と称する場合もある）１６に電力が供給されている。なお、１７は浴室１１と外部を仕切る壁を示す。また、インバータ１３に供給する電力は電池又は発電機であってもよい（以下の実施の形態においても同じ）。以下、これらについて詳しく説明する。
【００２０】
インバータ１３は商用電源を電源とし、これを直流に変えて更に１０ｋＨｚ〜１００ｋＨｚの交流に変換している。この制御にはＰＷＭ制御を行い、電力損失を軽減している。
一次側回路１４を構成する一次コイル１２は直径が約５〜２０ｃｍで１０〜３０ターン（ターン数）の渦巻き平面状に形成されている。なお、インバータ１３には電源のスイッチ１８が設けられオンオフできる構造となっている。このスイッチ１８は防水型で浴室１１内から操作できるのがよい。また、電波や光を用いたリモコンで操作を浴室１１又は浴室１１外から行うものであってもよい。
【００２１】
二次側回路１５は、同心状に配置された共振コイル１９、二次コイル２０、整流回路２１を含む第１の制御回路２２、及び共振コイル１９の電流制御を行う第２の制御回路（例えば、電流抑制手段）２３を有している。共振コイル１９、二次コイル２０は平巻きで平面状にコイルが巻かれ、それぞれ直径は５〜１５ｃｍである。共振コイル１９の巻き数は約１０〜２５ターン、二次コイル２０の巻き数ｎ２は、一次コイル１２の巻き数ｎ１の１／３〜１／１０となって、低電圧（例えば、２５ボルト以下）の交流を出力するようになっている。
【００２２】
一次コイル１２、共振コイル１９、二次コイル２０の形状は螺旋状平巻きが好ましいが、筒状巻であってもよいし、また、その外形は平面視して円形の他、多角形、矩形（長方形、正方形）等であってもよい（以下の実施の形態においても同じ）。コイルには、好ましくはリッツ線が使用されるが、その他エナメル線、被覆導線であってもよい。
【００２３】
壁１７は浴室１１を隔離するもので、通常はプラスチック、コンクリート、セラミック、木材によって形成されているが、金属（例えば、鉄板、アルミ合金等）で構成されている場合は、磁場を通さない場合があるので、その部分を切り抜いて、密閉された一次側回路１４を埋め込むことになる。この場合、浴室１１側から水をかけても一次側回路１４に水が浸入しないことの他、浴室１１側から外部に水が滲みでないように防水処理を行うのが好ましい。
【００２４】
第１の制御回路２２は、二次コイル２０で受電した高周波電力を整流して低電圧（例えば、２５ボルト以下）の直流とする整流回路２１、整流された交流の脈動分を除くリアクトル、コンデンサを有している。なお、必要に応じて、サイリスタやトランジスタ等の能動素子を使用して、負荷１６に一定電圧を供給するように、低電圧制御を行ってよい。
【００２５】
第２の制御回路２３は、直列に接続された共振コイル１９と共振コンデンサ２５を有して構成される共振回路に流れる共振電流を制御するもので、図１（Ｂ）に示すように、共振回路に直列に接続された抵抗２６と、チョッパー回路２７とを有している。チョッパー回路２７は、負荷１６に流れる電流及び電圧によって制御され、負荷１６に流れる電流が一定電流を超えると、共振コイル１９に流れる電流が減少し、これによって、一次コイル１２から受けとる磁束が減少し、二次コイル２０の誘起電圧を下げるようにしている。
【００２６】
この第２の制御回路２３によって、共振コイル１９の発熱を防止し、耐水型非接触供給装置１０の継続動作が可能となっている。なお、共振コイル１９に温度センサを設け、温度センサが一定温度を超えると、共振コイル１９に流れる電流を減らすように制御することもできる。２９は耐水型非接触供給装置１０の二次側回路１５の掛止治具を示すが、通常は浴室１１側の壁１７（又は床面や天井面）に固定されている。
二次側回路１５の全体は、例えば、後述する図４（Ａ）、（Ｂ）、（Ｃ）と同様、樹脂等で完全モールドされて例えば直方体状のブロックとなっている。このブロックには負荷に電力を供給する絶縁導線（キャプタイヤ）が接続されいる。
【００２７】
続いて、この耐水型非接触供給装置１０の動作について説明する。
二次側回路１５の出力を給電対象機器（負荷）１６に接続し、一次側回路１４を電源に接続する。次に、一次側回路１４の電源のスイッチ１８をオンにする。これによって、インバータ１３から一次コイル１２に高周波電流が流れ、共振コイル１９、二次コイル２０に向けて高周波磁束が発生し、二次コイル２０に電流が流れ、給電対象機器１６に給電する。負荷電流が所定値より大きい場合は、第２の制御回路２３が作動して、共振電流を減らし、二次コイル２０に流れる電流を制御する。
【００２８】
なお、この実施の形態において、インバータ１３から発振する高周波電力の周波数ｆに対して、共振コイル１９と共振コンデンサ２５とによって構成される共振回路の共振周波数は０．０１〜０．１倍の範囲でプラス側又はマイナス側にずれているのが好ましい。これによって、過剰な電流が共振コイル１９に流れるのを防止できる（以下の共振回路を用いる実施の形態においても同じ）。
【００２９】
一次コイル１２を例えば、特許文献４に記載のように、渦巻き状の平巻線で構成する場合は、一次コイル１２の裏側（即ち、二次コイル２０が配置されている方向とは反対方向）にフェライトコア板等を配置するのがよい。二次コイル２０においても、共振コイル１９とは反対側にフェライトコア板を配置するのがよい。これによって、磁束漏れを防止し、不要な部分の加熱を防止し、電力損失も減少する（以下の実施の形態においても同じ）。
【００３０】
続いて、図２を参照しながら、本発明の第２の実施の形態に係る耐水型非接触供給装置３２について説明する。なお、第１の実施の形態に係る耐水型非接触供給装置１０と同一の構成要素には同一の番号を付して詳しい説明を省略する（以下の実施の形態においても同じ）。
【００３１】
耐水型非接触供給装置３２は、図２に示すように、浴室（水使用場の一例）１１外に隔離して、即ち、浴室１１からそれぞれ隔離して絶縁状態で配置される一次側の共振コイル３３、一次コイル１２及びこれに電力を供給するインバータ１３を備えた一次側回路３４と、浴室１１内に配置される二次側回路３５とを有する。
【００３２】
一次側の共振コイル３３には直列に共振コンデンサ３３ａが接続され、共振コイル３３と共振コンデンサ３３ａとで共振回路を構成し、一次コイル１２から発生する交番磁束の増加を図って、離間配置された二次コイル２０に効率的に電力を供給している。
【００３３】
共振コイル３３には共振電流が流れ、コイル抵抗に伴う発熱をするので、浴室１１の外に固定状態で配置し冷却を促進することができる。
なお、この共振回路の共振周波数は、インバータ１３の周波数から微小な範囲（０．０１〜０．１倍）でずらしている。
また、一次側の共振回路に第３の制御回路（例えば、電流抑制手段）を設けて、共振回路に流れる電流を一定以下に制御することもできる。
【００３４】
次に、図３に示す本発明の第３の実施の形態に係る耐水型非接触供給装置３７について説明する。この耐水型非接触供給装置３７は、浴室（水使用場の一例）１１外に隔離して、即ち、浴室１１からそれぞれ隔離して絶縁状態で配置される一次側の共振コイル３３、一次コイル１２及びこれに電力を供給するインバータ１３を備えた一次側回路３４と、浴室１１内に配置される二次側回路１５とを有する。
【００３５】
この耐水型非接触供給装置３７は第１の実施の形態に係る耐水型非接触供給装置１０と第２の実施の形態に係る耐水型非接触供給装置３２を組み合わせたもので、一次側回路３４と二次側回路１５にそれぞれ共振コイル３３、１９を有して、より効率的かつ遠方までに一次コイル１２の交番磁場を二次コイル２０に供給するものである。
【００３６】
図４（Ａ）、（Ｂ）、（Ｃ）には、それぞれ本発明の第４〜第６の実施の形態に係る耐水型非接触供給装置を説明するが、一次側回路及び二次側回路の主要部は、以上の実施の形態に係る耐水型非接触供給装置１０、３２、３７のいずれかを用いる。以上の実施の形態に係る耐水型非接触供給装置１０、３２、３７と第４〜第６の実施の形態に係る耐水型非接触供給装置とは、二次側回路を壁等に取付ける掛止治具４０〜４２が異なるので、これらについて説明する。
【００３７】
二次側回路１５（３５も同様）は図４（Ａ）、（Ｂ）、（Ｃ）に示すように、直方体状のブロック４４〜４６を有し、その一部から負荷となる給電対象機器１６に電力を供給する絶縁導線（２芯）４８〜５０が接続されている。ブロック４６は上部に直方体のブロックとは別に掛止部４７を備えている。
【００３８】
掛止治具４０、４１は有底の上開放の箱状となって、側板の一部に絶縁導線４８、４９を通す切欠き５２、５３が形成されている。掛止治具４２は断面溝形状となっている内部に直方体状のブロック４６が入り込むようになっている。
いずれの掛止治具４０〜４２においても、両側にはフランジ部５５、５６を有して、ねじや接着材等によって壁１７に取付け可能となっている。
【００３９】
この掛止治具４０〜４２が取付けられる壁１７の背面側又は壁１７内（例えば、窪み）には、一次側回路１４、３４（一部又は全部）が配置されている。
以上の構造とすることによって、二次側回路１５の取付け、取外しが極めて容易となる。また、二次側出力は、＋、−の線路を完全にアースから分離することも可能であり、片側の線に触れても電圧は発生しない（以下の実施の形態においても同じ）。
【００４０】
図５は本発明の第７の実施の形態に係る耐水型非接触供給装置を示すが、一次側回路、二次側回路は、第１〜第３の実施の形態に係る耐水型非接触供給装置１０、３２、３７のいずれかと同一であるので、異なる部分についてのみ説明する。
図５に壁１７に耐水型非接触供給装置の二次側回路を取付ける掛止治具６０を示すが、樹脂等の絶縁材からなって、壁１７に開口６１を設けて掛止治具６０を取付ける。掛止治具６０の内部には二次側回路の収納部６２と、抜け止め用の突出部６３と、取付けフランジ６４を有する。一方、二次側回路は長方形のブロック６５内に収納されているが、下部に突出部６３が嵌入する溝６６と、溝６６の一部を形成し、絶縁導線６７を下方に導く延長部６８とを有している。なお、６９は把っ手を示す。
【００４１】
従って、この実施の形態においては、壁１７に開口６１を設けて掛止治具６０を取付けておく。一次側回路の配線は浴室１１外から行うことになる。
二次側回路を包むブロック６５は把っ手６９を持って搬送することになるが、把っ手６９は本発明の必須の要件ではない。ブロック６５を収納部６２に収納すると、突出部６３と溝６６が係合し、ブロック６５を所定位置に固定し、一次側回路と二次側回路の磁気的連結をなし得る。
【００４２】
図６（Ａ）、（Ｂ）は、本発明の第８の実施の形態に係る耐水型非接触供給装置７０及びその一次側回路７０ａ及び二次側回路７５の取付け方法を示すが、一次側回路７０ａに、透磁性の高く、ある程度強度を有する磁性材料（例えば、フェライトコア）で、中央に断面円形又は断面多角形の延長コア部７１を有し、周囲には環状溝７２が形成された中央断面がＥ字状となったコア７２ａを用いる。環状溝７２の部分に一次コイル７３を、必要な場合には共振コイルを巻く。なお、延長コア部７１の外側は絶縁性を有し非磁性物からなる素材（例えば、プラスチック）７４で覆われている。
【００４３】
二次側回路７５は、全体はブロックとなって樹脂でモールドされ、中央に延長コア部７１が嵌入する穴７６を有している。穴７６の内側周囲は絶縁性素材で覆われ、その外側に二次コイル７７及び必要な場合は共振コイルが巻かれている。一次側回路７０ａ及び二次側回路７５の構成は、以上に説明した第１〜第３の実施の形態に係る耐水型非接触供給装置１０、３２、３７のいずれかと実質同様である。ブロックの下には、絶縁導線７８が垂下している。          
【００４４】
この実施の形態においては、二次側回路７５のブロックの穴７６に延長コア部７１を嵌入させることによって、一次側回路７０ａと二次側回路７５を磁気的に連結することができる。従って、一次側回路７０ａと二次側回路７５をより密に連結できるので、共振回路を省略しても、かなりの電力伝送ができる。
なお、一次側回路７０ａの周囲には取付けフランジ７９が設けられて壁１７への取付けが容易となっている。
【００４５】
図７に示す本発明の第９の実施の形態に係る耐水型非接触供給装置８０について説明するが、一次コイル８３及び二次コイル８４（及び共振コイル８５）に、中央断面がＥ型のコア（例えば、フェライトコア）８６、８７が使用されている。コア８６、８７は壁１７を中央にして、各磁極が対向して配置されている。これによって、より密に一次コイル８３と二次コイル８４を磁気的に結合させることができる。ここで、Ｅ型フェライトコアの代わりにコ型フェライトコアを使用することもできる。
この実施の形態においては、共振コイル８５を二次側回路中に配置した例を示すが、第２、第３の実施の形態と同様な回路を用いて、一次側回路、又は、一次側回路及び二次側回路に配置することができる。
【００４６】
この耐水型非接触供給装置８０の両側には、取付けフランジ８９、９０が設けられているので、図４（Ｂ）に示す掛止治具４１で壁１７に固定することができる。なお、絶縁導線９１の位置を変えることによって、図４（Ａ）、（Ｃ）に示す掛止治具４０、４２を用いることができる。
【００４７】
図８に本発明の第１０の実施の形態に係る耐水型非接触供給装置９３を示すが、壁の背後又は壁中に設置する一次コイル９４を正面視して長方形（又は円形、楕円形）とし、それぞれ二次コイル９５、必要な場合は共振コイルを有する複数の二次側回路９７に電磁気的に結合させて電力を供給することができる。なお、一次側回路及び二次側回路９７の構成は、第１〜第３の実施の形態に係る耐水型非接触供給装置１０、３２、３７のいずれか１と同一となる。ここで、二次コイル９５は正面視して矩形、円形、楕円形であってもよい。
この実施の形態は、二次コイルが３つであったが、２つ又は４つ以上でもよい。壁への固定は、図４（Ｂ）の掛止治具４１を基本にした多連の掛止治具を使用することができる。
【００４８】
本発明は以上の実施の形態に限定されるものではなく、第１〜第１０の実施の形態を組み合わせて形成する場合も本発明は適用される。
また、本発明は耐水型非接触供給装置を浴室に取付けた場合について説明したが、洗面所、トイレ、台所等水を使用する場所であれば、適用可能である。
負荷への接続は被覆導線（絶縁導線）を用いたが、二次側回路に端子（例えば、差し込み端子を用いてもよい。
また、負荷としては、水使用場で使用する機器（例えば、身障者用のリフト）の電池等であってもよい。
更に、二次側回路の出力電圧は２５ボルト以下としたが、１４ボルト以下、場合によっては７ボルト以下とすることもできる。
【符号の説明】
【００４９】
１０：耐水型非接触供給装置、１１：浴室、１２：一次コイル、１３：インバータ、１４：一次側回路、１５：二次側回路、１６：給電対象機器、１７：壁、１８：電源のスイッチ、１９：共振コイル、２０：二次コイル、２１：整流回路、２２：第１の制御回路、２３：第２の制御回路、２５：共振コンデンサ、２６：抵抗、２７：チョッパー回路、２９：掛止治具  ３２：耐水型非接触供給装置、３３：共振コイル、３３ａ：共振コンデンサ、３４：一次側回路、３５：二次側回路、３７：耐水型非接触供給装置、４０〜４２：掛止治具、４４〜４６：ブロック、４７：掛止部、４８〜５０：絶縁導線、５２、５３：切欠き、５５、５６：フランジ、６０：掛止治具、６１：開口、６２：収納部、６３：突出部、６４：取付けフランジ、６５：ブロック、６６：溝、６７：絶縁導線、６８：延長部、６９：把っ手、７０：耐水型非接触供給装置、７０ａ：一次側回路、７１：延長コア部、７２：環状溝、７２ａ：コア、７３：一次コイル、７４：素材、７５：二次側回路、７６：穴、７７：二次コイル、７８：絶縁導線、７９：取付けフランジ、８０：耐水型非接触供給装置、８３：一次コイル、８４：二次コイル、８５：共振コイル、８６、８７：コア、８９、９０：取付けフランジ、９１：絶縁導線、９３：耐水型非接触供給装置、９４：一次コイル、９５：二次コイル、９７：二次側回路
【図１】
2018033312.tif 000003
【図２】
2018033312.tif 000004
【図３】
2018033312.tif 000005
【図４】
2018033312.tif 000006
【図５】
2018033312.tif 000007
【図６】
2018033312.tif 000008
【図７】
2018033312.tif 000009
【図８】
2018033312.tif 000010